(57)【特許請求の範囲】
【請求項１】
内視鏡と組み合わせて使用される電気機器が載せられる棚板を前後方向にスライド自在に設けた内視鏡システム用カートにおいて、
上記電気機器の背面に設けられた接続端子と接続される配線接続端子を背面パネルの内面に配置すると共に、上記棚板に載せられる電気機器の位置決めを行うために上記電気機器の足が嵌め込まれる窪みを上記棚板に形成して、上記電気機器の足を上記棚板の窪みに嵌め込んだ状態で上記棚板を後方にスライドさせることにより、上記棚板に載せられている電気機器の背面の接続端子が上記背面パネルの配線接続端子と接続されるようにしたことを特徴とする内視鏡システム用カート。
【請求項２】
上記棚板が複数設けられていて、異なる棚板に載せられた電気機器と電気機器との間が上記配線接続端子を介して接続される請求項１記載の内視鏡システム用カート。
【請求項３】
上記棚板に載せられた電気機器が、アダプタ状のコネクタを介して上記配線接続端子と接続される請求項１記載の内視鏡システム用カート。
【発明の詳細な説明】
【０００１】
【発明の属する技術分野】
この発明は、内視鏡と組み合わせて使用される各種電気機器を載せるための内視鏡システム用カートに関する。
【０００２】
【従来の技術】
電子内視鏡を使用する際には、光源装置とビデオプロセッサを必ず必要とし、それらは一体化されているのが普通であるが、その他にも、電子スチルビデオ装置、写真撮影装置、カラービデオレコーダ（ＶＣＲ）等の電気機器が組み合わせて使用される。
【０００３】
そこで一般的には、棚板が多段に配置されたカートの各棚板上にそれらの機器を載せて、配置スペースの効率化と運搬性を確保している。
【０００４】
【発明が解決しようとする課題】
上述のような電気機器には、制御信号用接続端子やビデオ信号用の接続端子などの接続端子があって、電子内視鏡のシステムとして使用するためにはそれらを正しく配線接続する必要がある。
【０００５】
しかし、そのような接続端子の数は非常に多いので、各接続端子間を信号ケーブルで１本ずつ接続するのは煩雑で相当な手間がかかるばかりでなく、接続方法を熟知した者でないと、全てを正しく配線するのは極めて困難である。
【０００６】
そこで本発明は、電子内視鏡と組み合わせて使用される電気機器間の配線接続が容易な内視鏡システム用カートを提供することを目的とする。
【０００７】
【課題を解決するための手段】
上記の目的を達成するため、本発明の内視鏡システム用カートは、内視鏡と組み合わせて使用される電気機器が載せられる棚板を前方にスライド自在に設けると共に、上記棚板を所定位置に押し込むことによってその棚板に載せられた電気機器と接続される配線接続端子を設けたことを特徴とする。
【０００８】
なお、上記棚板が複数設けられていて、異なる棚板に載せられた電気機器と電気機器との間が上記配線接続端子を介して接続されるようにするとよい。
また、上記棚板に載せられた電気機器が、アダプタ状のコネクタを介して上記配線接続端子と接続されるようにしてもよい。
【０００９】
【発明の実施の形態】
図面を参照して、本発明の実施の形態を説明する。
図２及び図３は、電子内視鏡と組み合わせて使用される各種電気機器が載せられた状態のカート１０の、前方から見た斜視図と後方から見た斜視図である。
【００１０】
カート１０は、前面だけが開放された立方体状に形成されていて、左右両側面に固定的に設けられた側面パネル１１，１２と天板１３及び床板１４の間に、４段の棚板１５〜１８が配置されている。また、背面は背面パネル１９で塞がれ、下端の４隅には車輪２０が取り付けられて、移動自在になっている。
【００１１】
そして、天板１３上には内視鏡観察映像を表示するためのテレビモニタ５１が載せられ、一番上の棚板１５上には、電子内視鏡が直接接続される光源装置兼用のビデオプロセッサ５２が載せられている。
【００１２】
それより下の段には、内視鏡観察画像を記録するための電気機器が載せられており、上から二番目の棚板１６には電子スチルビデオ装置５３、三番目の棚板１７には写真撮影装置５４が載せられ、床板１４上の一番下の棚板１８には、カラービデオテープレコーダ５５が載せられている。
【００１３】
各棚板１５〜１８は、各々独立して前方に引き出し自在になっており、図２には、一番上の棚板１５だけが引き出された状態が示されている。各棚板１５〜１８の前面には、把手２１…が取り付けられている。
【００１４】
図４はカート１０を分解して示しており、左右両側の側面パネル１１，１２の内面には、棚板１５〜１８の位置に合わせて、図５に断面が示されるような逆台形状のレール２３が例えばネジ止めによって固定されている。
【００１５】
一方、各棚板１５〜１８の左右両側面には、図６に拡大断面が示されるように、レール２３に対してきつくない程度に係合するレール受け溝２４が形成されている。したがって、レール受け溝２４にレール２３を係合させることにより、各棚板１５〜１８を前方に自由に引き出すことができる。
【００１６】
天板１３の上面には、図３にも示されるように、テレビモニタ５１の背面に設けられた接続端子３６と電源差し込み３７に対して接続コード（図示せず）を介して接続するための、配線接続端子３８と電源コンセント３９が設けられている。
【００１７】
図４に示されるように、レール２３の奥の部分には、弾力性のあるゴム製のクッション２５が取り付けられていて、棚板１５〜１８を押し込んだときに、棚板１５〜１８の奥側端部がクッション２５に当たって、ショックが和らげられるようになっている。また、棚板１５〜１８をクッション２５にぶつかった位置（所定位置）で軽く固定するためのクリックが設けられているが、その図示は省略されている。
【００１８】
背面パネル１９の内面には、棚板１５〜１８に載せられる各電気機器５２〜５５の背面に設けられた多数の接続端子と位置を合わせて、多数の配線接続端子３１〜３４が配置されている。２７〜３０は、配線接続端子３１〜３４を取り付けた基板であり、図１に示されるように、各配線接続端子３１〜３４どうしの間が接続配線３５によって接続されている。
【００１９】
したがって、図１に示されるように、一番上段の棚板１５を手前へ引き出した状態でその棚板１５上の所定位置に光源装置兼ビデオプロセッサ５２を載せ、棚板１５を奥の所定位置（クリック固定される位置）へ押し込めば、光源装置兼ビデオプロセッサ５２の背面に設けられた接続端子６２の全てが、背面パネル１９内面の配線接続端子３１と正しく接続される。
【００２０】
また、上から二段目の棚板１６を手前へ引き出した状態でその所定位置に電子スチルビデオ装置５３を載せ、その棚板１６を所定位置に押し込めば、電子スチルビデオ装置５３の背面に設けられた接続端子６３が、背面パネル１９内面の配線接続端子３２と正しく接続される。上から三段目の棚板１７及び四段目の棚板１８についても同様である。
【００２１】
なお、各棚板１５〜１８には、そこに載せられる電気機器５２〜５５が正しく所定位置にセットされるように、各電気機器５２〜５５の足がちょうど嵌まり込む窪み４０…が形成されている。
【００２２】
このようにして、本発明によれば、棚板１５〜１８を奥へ押し込むだけで、そこに載せられた電気機器５２〜５５に対する配線接続が行われて、各電機機器５２〜５５間の配線接続が誤りなく完了する。
【００２３】
図７は、各電気機器５２〜５５と背面パネル１９の内面部分との接続部に、多数の接続端子が一まとめに形成されたコネクタ７２，４１及び７３，４２を配置したものであり、その他の構成は上述の実施の形態と同じである。
【００２４】
この場合、図７に示される光源装置兼ビデオプロセッサ５２のように、個々の接続端子（ＢＮＣ端子）６２とは別にコネクタ７２を設けてもよいし、電子スチルビデオ装置５３のように、接続端子（ＢＮＣ端子）６３に対してアダプタ状にコネクタ７３を取り付けるようにしてもよい。
【００２５】
【発明の効果】
本発明によれば、内視鏡と組み合わせて使用される各種電気機器が載せられる棚板を所定位置に押し込むことによって、その棚板に載せられた電気機器に対する配線接続が行われるので、複雑な配線を全く知らない者でも配線接続を間違いなくしかも簡単に行って、電子内視鏡システムを使用可能な状態に容易にセットすることができる。
【図面の簡単な説明】
【図１】本発明の第１の実施の形態の部分側面図である。
【図２】本発明の第１の実施の形態の全体を前方から見た状態の斜視図である。
【図３】本発明の第１の実施の形態の全体を後方から見た状態の斜視図である。
【図４】本発明の第１の実施の形態の分解斜視図である。
【図５】本発明の第１の実施の形態のレール部分の正面断面図である。
【図６】本発明の第１の実施の形態のレールと係合する溝部分の正面断面図である。
【図７】本発明の第２の実施の形態の部分側面図である。
【符号の説明】
１０  カート
１５〜１８  棚板
１９  背面パネル
３１〜３４  配線接続端子
５２  光源装置兼ビデオプロセッサ
５３  電子スチルビデオ装置
５４  写真撮影装置
５５  カラービデオテープレコーダ
６２，６３  接続端子
【図１】
0003554420.tif 000002
【図２】
0003554420.tif 000003
【図３】
0003554420.tif 000004
【図４】
0003554420.tif 000005
【図５】
0003554420.tif 000006
【図６】
0003554420.tif 000007
【図７】
0003554420.tif 000008